(57)【要約】【課題】  分解等をせずとも、ガイドバー上の位置調整を簡易に行うことができるレベラインガイドを提供する。【解決手段】  トラバースカム溝と係合して往復動可能なカム歯を備えたカムと、該カムを前記トラバースカム溝と係合する方向に付勢するスプリングと、押し込み操作により前記カムをトラバースカム溝から離脱させるロック解除部材とからなる。また、カムは上端にカム歯を備えた円筒部とこれより大径の台座部を一体化してなる一方、ロック解除部材は台座部の上方に位置して、前記円筒部が挿通する長孔を有すると共に、台座部の角部と当接してカム全体を押し下げ可能なテーパ面を有する。従って、ロック解除部材の押し込み操作によりカムガイドバーのトラバースカム溝から離脱させ、ガイドバー上をフリーの状態でスライドさせることができるため、分解等せずともレベラインガイドを任意の位置に調整することができる。【選択図】        図１
2005253391.tif 000002
【特許請求の範囲】
【請求項１】
トラバースカム溝と係合して往復動可能なカム歯を備えたカムと、該カムを前記トラバースカム溝と係合する方向に付勢するスプリングと、押し込み操作により前記カムをトラバースカム溝から離脱させるロック解除部材とからなることを特徴とする魚釣りリールのレベラインガイド。
【請求項２】
カムは上端にカム歯を備えた円筒部とこれより大径の台座部を一体化してなる一方、ロック解除部材は台座部の上方に位置して、前記円筒部が挿通する長孔を有すると共に、台座部の角部と当接してカム全体を押し下げ可能なテーパ面を有する請求項１記載の魚釣りリールのレベラインガイド。
【発明の詳細な説明】
【技術分野】
【０００１】
この発明は、スプールと平行に設けられるガイドバーを左右に往復動して、釣糸の巻き取りや送り出しを案内するレベラインガイドに係り、ガイドバーに対する位置決めを任意に設定することができる構造に関するものである。
【背景技術】
【０００２】
スプールを横置きにした魚釣りリールには、例えば特許文献１に示すように、表面にトラバースカム溝を刻設したガイドバーがスプールと平行、且つ、スプールの回転と同期して軸回転するように設けられ、さらにガイドバーには前記トラバースカム溝と係合して当該ガイドバーを左右に往復動するレベラインガイドが設けられている。
【０００３】
こうした構成のレベラインガイドは、その往復動によってスプールに対する釣糸の方巻きなど偏りを防止して、スプールに均等に釣糸を巻き取るための案内として機能するものである。
【０００４】
【特許文献１】特開平９−２８２４６号公報
【発明の開示】
【発明が解決しようとする課題】
【０００５】
ところで、レベラインガイドのスコープ部とスプールから繰り出される釣糸とは、巻き取り時等の摩擦を軽減するために、ほぼ直線上に位置することが好ましい。しかしながら、過剰な巻き取りや釣り終了後に、釣糸をレベラインガイドから抜き出した状態でスプールに完全に巻き取ったような場合、次回からは、図に示したように、釣糸とレベラインガイドのなす角度が大きくなることがある。この状態を維持したまま、釣糸を繰り出しまたは巻き取れば、スコープ部における摩擦が大きくなり、その摩擦力によって糸切れしてしまうおそれがある。
【０００６】
そこで従来は、レベラインガイドを適正な位置に調整するために、ガイドバーからレベラインを分解して取り外し、位置調整を行った後、組み直すといった手段が採られていたが、この位置調整作業は非常に手間であった。
【０００７】
本発明は上述した課題に鑑みなされたもので、その目的とするところは、分解等をせずとも、ガイドバー上の位置調整を簡易に行うことができるレベラインガイドを提供することである。
【課題を解決するための手段】
【０００８】
上述した目的を達成するために本発明では、トラバースカム溝と係合して往復動可能なカム歯を備えたカムと、該カムを前記トラバースカム溝と係合する方向に付勢するスプリングと、押し込み操作により前記カムをトラバースカム溝から離脱させるロック解除部材とからレベラインガイドを構成するという手段を用いた。
【０００９】
また、カムは上端にカム歯を備えた円筒部とこれより大径の台座部を一体化してなる一方、ロック解除部材は台座部の上方に位置して、前記円筒部が挿通する長孔を有すると共に、台座部の角部と当接してカム全体を押し下げ可能なテーパ面を有するという手段によってレベラインガイドを簡易に構成することができる。
【発明の効果】
【００１０】
上述した手段を採用した本発明によれば、ロック解除部材の押し込み操作によりカムガイドバーのトラバースカム溝から離脱させ、ガイドバー上をフリーの状態でスライドさせることができるため、分解等せずともレベラインガイドを任意の位置に調整することができる。
【発明を実施するための最良の形態】
【００１１】
以下、本発明の好ましい実施の形態を添付した図面に従って説明する。図１、２は本発明の一実施形態に係るレベラインガイドのそれぞれ側面視断面図、正面視断面図であり、１はガイド本体、２はガイド本体１の上部に設けた細長輪状のスコープ部、３はガイドバーＢ１の挿通孔、４はガイドバーＢ１のトラバースカム溝と係合可能な略Ｕ字状のカム歯４ａを備えたカム、５はカム４をガイドバー側に付勢するスプリング、６はガイド本体１の底部に設けたキャップ兼用のスプリング受けである。なお、ガイド本体１にはガイドバー挿通孔３の上方に位置して、他のガイドバーＢ２の挿通孔７が形成され、双方の挿通孔３・７にガイドバーＢ１・Ｂ２を挿通することによって、レベラインガイドの前後の不用意な回動を防止し、確実に定姿勢（直立姿勢）を保持して往復動させるためのものである。
【００１２】
以上の構成は従来のレベラインガイドとほぼ変わるところはない。そこで本発明の特徴点を説明すると、カム４は先端にカム歯４ａを設けた円筒部４ｂと、これより大径であって、底部にスプリング受け用の凹陥部４ｃを形成してなる円筒状台座部４ｄとを、ビス８等によって一体化してなる。また、ガイド本体１の前記台座部４ｄの上方には、ロック解除部材９を押し込み可能に設けている。
【００１３】
該ロック解除部材９の詳細は、図２に示すように、片側底部にテーパ面９ａを形成してなる多角形部材の上下面を貫通してカム４の円筒部４ｂが挿通する長孔９ｂを形成してなる。長孔９ｂはロック解除部材９の押し込み量に見合った長さを有する。
【００１４】
かかる構成により上記レベラインガイドは、ロック解除部材９を押し込む前はカム４がスプリング５の付勢力によってガイドバーＢ１と噛合し、通常通りガイドバーＢ１を往復動するのに対して、ロック解除部材９を押し込めば、その水平運動はテーパ面９ａにより台座部４ｄを介しスプリング５に抗してカム４を下方に押し下げる力に変換され、カム歯４ａはガイドバーＢ１のトラバースカム溝から外れる。そして、この状態で本レベラインガイドをガイドバーに沿って任意の位置に調整することができるのである。反対に、ロック解除部材９から指を離せば、スプリング５の付勢力によってロック解除部材９は元の位置に突出し、カム４もガイドバーＢ１と噛合する位置に復帰する。
【図面の簡単な説明】
【００１５】
【図１】本発明の一実施形態に係るレベラインガイドの側面視断面図
【図２】同正面視断面図
【図３】ロック解除部材の斜視図
【符号の説明】
【００１６】
１  ガイド本体
２  スコープ部
３  ガイドバーＢ１の挿通孔
４  カム
４ａ  カム歯
５  スプリング
６  スプリング受け
７  ガイドバーＢ２の挿通孔
８  ビス
９  ロック解除部材
９ａ  テーパ面
【図１】
2005253391.tif 000003
【図２】
2005253391.tif 000004
【図３】
2005253391.tif 000005